(57)【要約】【課題】ＩＥＥＥ１３９４シリアルバスに接続されるコントローラ機器において、自機が送信側機器から送信されるストリームデータに適したデコーダを有していない場合でも、バス上にデータ変換専用の装置を接続することなく、ストリームデータを正常に処理する。【解決手段】送信側機器から送信されるストリームデータを、自機がデコード不可能である場合には（Ｓ３でＮＯ）、バス上の各接続機器の中から、ＤＶストリームデータからＭＰＥＧストリームデータへのデータ変換機能を持つ変換接続機器を自動的に検索して（Ｓ４）、この変換接続機器に対して、送信側機器から送信されるストリームデータを、自機がデコード可能なストリームデータに変換して自機に送信するように依頼する（Ｓ７）。【選択図】図４
2006157339.tif 000002
【特許請求の範囲】
【請求項１】
ＩＥＥＥ１３９４シリアルバスを介してストリームデータの送信側の接続機器（以下、送信側機器という）と接続され、
前記送信側機器に再生の開始を指示するための再生開始指示手段と、
前記再生開始指示手段を用いてユーザにより前記送信側機器の再生の開始が指示されたときに、前記送信側機器から送信されるストリームデータの受信を制御する受信制御手段とを備えたＩＥＥＥ１３９４シリアルバスに接続されるコントローラ機器において、
前記受信制御手段は、
前記再生開始指示手段を用いてユーザにより前記送信側機器の再生の開始が指示されたときに、前記送信側機器から送信されるストリームデータの種類を判別する判別手段と、
前記判別手段により前記送信側機器から送信されると判別された種類のストリームデータを、自機がデコード可能であるか否かを判定する判定手段と、
前記判定手段による判定の結果、デコード不可能であると判定された場合に、前記ＩＥＥＥ１３９４シリアルバス上の各接続機器のコンフィグレーションＲＯＭに記憶されたベンダＩＤや機種ＩＤに基づき、これらの各接続機器の中から、ＤＶストリームデータとＭＰＥＧ（Motion Picture Experts Group）ストリームデータとの間のデータ変換機能を持つ接続機器（以下、変換接続機器という）を検索する検索手段と、
前記検索手段による検索の結果、前記ＩＥＥＥ１３９４シリアルバス上の各接続機器の中に、前記変換接続機器があった場合に、前記変換接続機器と前記送信側機器との間、及び前記変換接続機器と自機との間をポイントツーポイント接続する接続手段と、
前記送信側機器に再生コマンドを送信して再生を依頼する再生依頼手段と、
前記再生依頼手段による依頼に応じて前記送信側機器から送信されるストリームデータを、異なる種類のストリームデータに変換して自機に送信するように、前記変換接続機器に依頼する変換依頼手段とから構成され、
前記変換依頼手段による依頼に応じて前記変換接続機器から送信された変換後のストリームデータを受信する受信手段をさらに備えることを特徴とするＩＥＥＥ１３９４シリアルバスに接続されるコントローラ機器。
【請求項２】
ＩＥＥＥ１３９４シリアルバスを介してストリームデータの送信側の接続機器（以下、送信側機器という）と接続され、
前記送信側機器に再生の開始を指示するための再生開始指示手段と、
前記再生開始指示手段を用いてユーザにより前記送信側機器の再生の開始が指示されたときに、前記送信側機器から送信されるストリームデータの受信を制御する受信制御手段とを備えたＩＥＥＥ１３９４シリアルバスに接続されるコントローラ機器において、
前記受信制御手段は、
前記再生開始指示手段を用いてユーザにより前記送信側機器の再生の開始が指示されたときに、前記送信側機器から送信されるストリームデータの種類を判別する判別手段と、
前記判別手段により前記送信側機器から送信されると判別された種類のストリームデータを、自機がデコード可能であるか否かを判定する判定手段と、
前記判定手段による判定の結果、デコード不可能であると判定された場合に、前記ＩＥＥＥ１３９４シリアルバス上の各接続機器の中から、前記送信側機器より送信されると判別された種類のストリームデータと自機がデコード可能な種類のストリームデータとの間のデータ変換機能を持つ接続機器（以下、変換接続機器という）を検索する検索手段と、
前記検索手段による検索の結果、前記ＩＥＥＥ１３９４シリアルバス上の各接続機器の中に、前記変換接続機器があった場合に、前記変換接続機器と前記送信側機器との間、及び前記変換接続機器と自機との間をポイントツーポイント接続する接続手段と、
前記送信側機器に再生コマンドを送信して再生を依頼する再生依頼手段と、
前記再生依頼手段による依頼に応じて前記送信側機器から送信されるストリームデータを、異なる種類のストリームデータに変換して自機に送信するように、前記変換接続機器に依頼する変換依頼手段とから構成され、
前記変換依頼手段による依頼に応じて前記変換接続機器から送信された変換後のストリームデータを受信する受信手段をさらに備えることを特徴とするＩＥＥＥ１３９４シリアルバスに接続されるコントローラ機器。
【請求項３】
前記検索手段は、ＤＶストリームデータとＭＰＥＧストリームデータとの間のデータ変換機能を持つ変換接続機器を検索することを特徴とする請求項２に記載のＩＥＥＥ１３９４シリアルバスに接続されるコントローラ機器。
【発明の詳細な説明】
【技術分野】
【０００１】
本発明は、ＩＥＥＥ１３９４シリアルバスに接続されて、ＩＥＥＥ１３９４シリアルバス上の他の接続機器からストリームデータを受信することが可能な、ディジタルテレビ、ディジタルＶＴＲ（Video Tape Recorder）等のコントローラ機器に関する。
【背景技術】
【０００２】
従来、ＩＥＥＥ１３９４シリアルバス（以下、バスと略す）への接続機器間で送受信されるストリ−ムデータは、主にＤＶ(Digital Video)ストリームデータとＭＰＥＧ（Motion Picture Experts Group）ストリームデータに大別される。ところが、全ての接続機器が、ＤＶストリームデータ用のデコーダ（以下、ＤＶデコーダという）と、ＭＰＥＧストリームデータ用のデコーダ（以下、ＭＰＥＧデコーダという）を兼備している訳ではないので、送信側の接続機器（以下、送信側機器という）から送信されたストリームデータをデコードできない場合がある。例えば、ＤＶ(Digital Video)カメラから送信可能なストリームデータは、一般にＤＶストリームデータのみであるが、ディジタルデレビは、ＤＶデコーダを有していないため、ＤＶカメラから送信されたＤＶストリームデータをデコードして画面上に再生表示することができない。
【０００３】
ところで、ディジタルビデオ記録・再生装置の分野において、ＭＰＥＧストリームデータとＤＶストリームデータとの間のデータ変換機能を有し、入力されたＭＰＥＧストリームデータをＤＶストリームデータに変換して記録するようにしたものが知られている（例えば、特許文献１参照）。しかし、この発明を応用して上記の問題を解消するには、自機にＭＰＥＧストリームデータとＤＶストリームデータとの間のデータ変換用の回路を持つ必要があるので、製品製造のコストが高くなってしまう。また、画像信号変換符号化装置の分野において、ＭＰＥＧストリームデータとＤＶストリームデータとの間の変換符号化を行う際における画像劣化を防止するようにしたものが知られている（例えば、特許文献２参照）。さらにまた、データ変換装置の分野において、ＤＶデコーダとＭＰＥＧエンコーダからなるデータ変換用の回路を持つものが知られている（例えば、特許文献３参照）。しかし、上記特許文献２及び３に記載された発明では、データ変換専用の装置が必要になるため、ネットワークの構成に必要なコストが高くなってしまうという問題があった。
【特許文献１】特開平１１−３４６３４５号公報
【特許文献２】特開２００１−２１８２１３号公報
【特許文献３】特開２００１−４５０９１号公報
【発明の開示】
【発明が解決しようとする課題】
【０００４】
本発明は、上記の問題を解決するためになされたものであり、自機が送信側機器から送信されるストリームデータに適したデコーダを有していない場合でも、バス上にデータ変換専用の装置を接続することなく、送信側機器から送信されるストリームデータを正常に処理することが可能なＩＥＥＥ１３９４シリアルバスに接続されるコントローラ機器を提供することを目的とする。
【課題を解決するための手段】
【０００５】
上記目的を達成するために請求項１の発明は、ＩＥＥＥ１３９４シリアルバスを介してストリームデータの送信側の接続機器（以下、送信側機器という）と接続され、前記送信側機器に再生の開始を指示するための再生開始指示手段と、前記再生開始指示手段を用いてユーザにより前記送信側機器の再生の開始が指示されたときに、前記送信側機器から送信されるストリームデータの受信を制御する受信制御手段とを備えたＩＥＥＥ１３９４シリアルバスに接続されるコントローラ機器において、前記受信制御手段は、前記再生開始指示手段を用いてユーザにより前記送信側機器の再生の開始が指示されたときに、前記送信側機器から送信されるストリームデータの種類を判別する判別手段と、前記判別手段により前記送信側機器から送信されると判別された種類のストリームデータを、自機がデコード可能であるか否かを判定する判定手段と、前記判定手段による判定の結果、デコード不可能であると判定された場合に、前記ＩＥＥＥ１３９４シリアルバス上の各接続機器のコンフィグレーションＲＯＭに記憶されたベンダＩＤや機種ＩＤに基づき、これらの各接続機器の中から、ＤＶストリームデータとＭＰＥＧストリームデータとの間のデータ変換機能を持つ接続機器（以下、変換接続機器という）を検索する検索手段と、前記検索手段による検索の結果、前記ＩＥＥＥ１３９４シリアルバス上の各接続機器の中に、前記変換接続機器があった場合に、前記変換接続機器と前記送信側機器との間、及び前記変換接続機器と自機との間をポイントツーポイント接続する接続手段と、前記送信側機器に再生コマンドを送信して再生を依頼する再生依頼手段と、前記再生依頼手段による依頼に応じて前記送信側機器から送信されるストリームデータを、異なる種類のストリームデータに変換して自機に送信するように、前記変換接続機器に依頼する変換依頼手段とから構成され、前記変換依頼手段による依頼に応じて前記変換接続機器から送信された変換後のストリームデータを受信する受信手段をさらに備えるものである。
【０００６】
請求項２の発明は、ＩＥＥＥ１３９４シリアルバスを介してストリームデータの送信側の接続機器（以下、送信側機器という）と接続され、前記送信側機器に再生の開始を指示するための再生開始指示手段と、前記再生開始指示手段を用いてユーザにより前記送信側機器の再生の開始が指示されたときに、前記送信側機器から送信されるストリームデータの受信を制御する受信制御手段とを備えたＩＥＥＥ１３９４シリアルバスに接続されるコントローラ機器において、前記受信制御手段は、前記再生開始指示手段を用いてユーザにより前記送信側機器の再生の開始が指示されたときに、前記送信側機器から送信されるストリームデータの種類を判別する判別手段と、前記判別手段により前記送信側機器から送信されると判別された種類のストリームデータを、自機がデコード可能であるか否かを判定する判定手段と、前記判定手段による判定の結果、デコード不可能であると判定された場合に、前記ＩＥＥＥ１３９４シリアルバス上の各接続機器の中から、前記送信側機器より送信されると判別された種類のストリームデータと自機がデコード可能な種類のストリームデータとの間のデータ変換機能を持つ接続機器（以下、変換接続機器という）を検索する検索手段と、前記検索手段による検索の結果、前記ＩＥＥＥ１３９４シリアルバス上の各接続機器の中に、前記変換接続機器があった場合に、前記変換接続機器と前記送信側機器との間、及び前記変換接続機器と自機との間をポイントツーポイント接続する接続手段と、前記送信側機器に再生コマンドを送信して再生を依頼する再生依頼手段と、前記再生依頼手段による依頼に応じて前記送信側機器から送信されるストリームデータを、異なる種類のストリームデータに変換して自機に送信するように、前記変換接続機器に依頼する変換依頼手段とから構成され、前記変換依頼手段による依頼に応じて前記変換接続機器から送信された変換後のストリームデータを受信する受信手段をさらに備えるものである。
【０００７】
請求項３の発明は、請求項２に記載のＩＥＥＥ１３９４シリアルバスに接続されるコントローラ機器において、前記検索手段は、ＤＶストリームデータとＭＰＥＧストリームデータとの間のデータ変換機能を持つ変換接続機器を検索するものである。
【発明の効果】
【０００８】
請求項１の発明によれば、送信側機器から送信されるストリームデータを、自機がデコード不可能である場合には、ＩＥＥＥ１３９４シリアルバス（以下、バスと略す）上の各接続機器のコンフィグレーションＲＯＭに記憶されたベンダＩＤや機種ＩＤに基づき、これらの各接続機器の中から、ＤＶストリームデータとＭＰＥＧストリームデータとの間のデータ変換機能を持つ変換接続機器が自動的に検索されて、この変換接続機器と上記送信側機器との間、及び上記変換接続機器と自機との間がポイントツーポイント接続される。そして、送信側機器から送信されたストリームデータが、変換接続機器によって自機がデコード可能な種類のストリームデータに変換されて、自機に送信される。これにより、自機が送信側機器から送信されるストリームデータに適したデコーダを有していない場合でも、バス上にデータ変換専用の装置を接続することなく、送信側機器から送信されるストリームデータを正常に処理することができる。従って、バス上の各接続機器の中に、ＤＶストリームデータとＭＰＥＧストリームデータとの間のデータ変換機能を持つ変換接続機器さえあれば、自機が送信側機器から送信されるストリームデータに適したデコーダを持つ必要がなく、また、バス上にデータ変換専用の装置を接続する必要もないので、大幅なコストダウンを図ることができる。
【０００９】
請求項２の発明によれば、送信側機器から送信されると判別された種類のストリームデータを、自機がデコード不可能である場合には、バス上の各接続機器の中から、送信側機器より送信されると判別された種類のストリームデータと自機がデコード可能な種類のストリームデータとの間のデータ変換機能を持つ変換接続機器が自動的に検索されて、この変換接続機器と上記送信側機器との間、及び上記変換接続機器と自機との間がポイントツーポイント接続される。そして、送信側機器から送信されたストリームデータが、変換接続機器によって自機がデコード可能な種類のストリームデータに変換されて、自機に送信される。これにより、自機が送信側機器から送信されるストリームデータに適したデコーダを有していない場合でも、バス上にデータ変換専用の装置を接続することなく、送信側機器から送信されるストリームデータを正常に処理することができる。従って、バス上の各接続機器の中に、送信側機器より送信されると判別された種類のストリームデータと自機がデコード可能な種類のストリームデータとの間のデータ変換機能を持つ変換接続機器さえあれば、自機が送信側機器から送信されるストリームデータに適したデコーダを持つ必要がなく、また、バス上にデータ変換専用の装置を接続する必要もないので、大幅なコストダウンを図ることができる。
【００１０】
また、請求項３の発明によれば、バス上の各接続機器の中から、ＤＶストリームデータとＭＰＥＧストリームデータとの間のデータ変換機能を持つ変換接続機器を自動的に検索することができるので、請求項１の発明と同等の効果を得ることができる。
【発明を実施するための最良の形態】
【００１１】
本発明を実施するための最良の形態について図面を参照して説明する。本発明は、ＩＥＥＥ１３９４シリアルバスに接続されて、ＩＥＥＥ１３９４シリアルバス上の他の接続機器からストリームデータを受信することが可能なコントローラ機器に関するものである。以下の実施形態では、本発明をＭＰＥＧ（Motion Picture Experts Group）ストリームデータ用のデコーダ（以下、ＭＰＥＧデコーダという）のみを有するディジタルテレビ（以下、ＤＴＶという）に適用した場合の例について説明する。なお、以下に記載した実施形態は、本発明を網羅するものではなく、本発明は、下記の形態だけに限定されない。
【００１２】
図１は、本実施形態によるコントローラ機器であるＤＴＶと、このＤＴＶに接続されたＤＶＤレコーダ、セットトップボックス（以下、ＳＴＢという）及びＤＶ(Digital Video)カメラの外観を示す。ＤＴＶ１は、ＭＰＥＧストリームデータ用のデコーダ（以下、ＭＰＥＧデコーダという）のみを有しており、ＤＶストリームデータ用のデコーダ（以下、ＤＶデコーダという）を有していないため、ＭＰＥＧストリームデータのみの再生映像を表示することができ、ＤＶストリームデータの再生映像を表示することができない。また、ＤＶＤレコーダ２は、ＤＶストリームデータをＭＰＥＧストリームデータに変換する機能を有している。さらにまた、ＳＴＢ３は、ＭＰＥＧストリームデータのみを出力することができ、また、ＤＶカメラ４は、ＤＶストリームデータのみを出力することができる。また、ＤＴＶ１とＤＶＤレコーダ２との間、ＤＶＤレコーダ２とＳＴＢ３との間、及びＳＴＢ３とＤＶカメラ４との間は、ＩＥＥＥ１３９４シリアルバスケーブル５（以下、ケーブルと略す）を用いて接続されている。
【００１３】
次に、図２を参照して、上記のＤＴＶ１とＤＶＤレコーダ２の電気的ブロック構成について説明する。ＤＴＶ１は、アンテナ８と接続されており、ディジタルＴＶ（Television）放送受信用のチューナ１１と、チューナ１１で受信したトランスポートストリームの中からユーザにより選択された番組のビデオパケットやオーディオパケットを抽出するＤＥＭＵＸ１２と、ＤＥＭＵＸ１２から送られたＭＰＥＧ圧縮されたビデオパケットやオーディオパケットをデコードして映像信号や音声信号を再生するＭＰＥＧデコーダ１３と、再生された映像信号に文字情報等の信号を重畳させるオンスクリーンディスプレイ部１４（以下、ＯＳＤ部という）と、映像信号を再生表示するためのモニタ部１５とを有している。モニタ部１５は、再生された映像を表示するための画面１６と、再生された音声を出力するためのスピーカ１７とから構成される。また、ＤＴＶ１は、装置全体の制御を行うためのマイクロプロセッサ１０（受信制御手段、判別手段、判定手段、検索手段、接続手段、再生依頼手段、変換依頼手段）と、各種データを記憶するためのメモリ１８と、バス９上の他の接続機器との間でデータの送受信を行うためのＩＥＥＥ１３９４インタフェース１９（受信手段：以下、インタフェースという）と、リモコン２３から送信された赤外線信号を受信する赤外線信号受信部２０とを有している。メモリ１８には、バス９上の自ノード及び他ノードに関する各種の情報を格納したレジスタ空間２１が格納されている。このレジスタ空間２１は、自機（ＤＴＶ１）の性能に関する情報等を格納したコンフィグレーションＲＯＭ２２等より構成される。
【００１４】
リモコン２３（再生開始指示手段）は、各種のキーからなるキー部２８と赤外線信号発信部２４とを有している。キー部２８には、電源キー２６、数字入力用のキー２７、カーソルキー２９に加えて、各種メニューを表示するためのメニューキー２５が配設されている。
【００１５】
ＤＶＤレコーダ２は、装置の各部を制御するためのマイクロプロセッサ３０を備えている。また、ＤＶＤレコーダ２は、ＤＶＤ−ＲＡＭ３１に対して光ビームを照射してデータの記録及び再生を行う光ピックアップ３２と、光ピックアップ３２から出力されるＲＦ信号を処理するＲＦ回路３３と、ＲＦ回路３３から出力されたＭＰＥＧストリームデータをデコード（復号）するＭＰＥＧデコーダ３４と、ＭＰＥＧデコーダ３４による復号後のデータをＤＶストリームデータに符号化するＤＶエンコーダ３５と、バス９上の他の接続機器との間でデータの送受信を行うためのＩＥＥＥ１３９４インタフェース３６（以下、インタフェースという）とを有している。さらにまた、ＤＶＤレコーダ２は、インタフェース３６を介してＤＶカメラ４（図１参照）等から受信したＤＶストリームデータをデコード（復号）するＤＶデコーダ３７と、ＤＶデコーダ３７による復号後のデータをＭＰＥＧストリームデータに符号化するＭＰＥＧエンコーダ３８と、各種データを記憶するメモリ３９と、各種のメッセージ等を表示するための表示部４２と、リモコン４４から送信された赤外線信号を受信する赤外線信号受信部４３とを有している。上記のメモリ３９には、バス９上の自ノード及び他ノードに関する各種の情報を格納したレジスタ空間４０が格納されている。このレジスタ空間４０は、自機（ＤＶＤレコーダ２）の性能に関する情報等を格納したコンフィグレーションＲＯＭ４１等より構成される。リモコン４４については、ＤＴＶ１のリモコン２３と同様な構成であるので、説明を省略する。
【００１６】
次に、図３を参照して、上記のＤＶカメラ４の電気的ブロック構成について説明する。ＤＶカメラ４は、ＶＴＲ一体型のＤＶカメラであり、バス９を介してＤＴＶ１やＤＶＤレコーダ２等の外部入出力機器との間で制御用コマンドやストリームデータの送受信を行うためのＩＥＥＥ１３９４インタフェース５７（以下、インタフェースという）と、撮像した被写体像をアナログ信号の形で出力するＣＣＤ（Charge Coupled Device）５１と、ＣＣＤ５１から出力されたアナログ信号をディジタル信号に変換するＡ／Ｄ変換部５２と、Ａ／Ｄ変換部５２から送られた画像データを一時的に蓄積する画像メモリ５３と、画像メモリ５３に蓄積された画像データに対して各種の画像処理を施すマイクロプロセッサ５４と、ＤＶエンコーダ５５と、記録再生部５６とを備えている。ＤＶエンコーダ５５は、マイクロプロセッサ５４による処理後の画像データのＤＶストリームデータへの符号化を行う。記録再生部５６は、ＤＶエンコーダ５５から出力されたＤＶストリームデータのＤＶテープへの書き込みや、ＤＶテープに記録されたＤＶストリームデータの再生等を行う。また、ＤＶカメラ４は、マイクロプロセッサ５４から送られた画像を表示する液晶モニタ５８と、操作部５９と、各種のデータを記憶するためのメモリ６０とを備えている。メモリ６０には、バス９上の自ノード及び他ノードに関する各種の情報を格納したレジスタ空間６１が格納されている。このレジスタ空間６１は、自機（ＤＶカメラ４）の性能に関する情報等を格納したコンフィグレーションＲＯＭ６２等より構成される。
【００１７】
次に、図４のフローチャートを参照して、ＤＶカメラ４から送信されたストリームデータをＤＴＶ１で再生表示する際におけるＤＴＶ１側の処理について説明する。ユーザが、リモコン２３を用いてＤＴＶ１側からＤＶカメラ４（送信側機器）に対してＤＶテープの再生の指示をすると（Ｓ１でＹＥＳ）、ＤＴＶ１側のマイクロプロセッサ１０は、送信側機器（ＤＶカメラ４）から送信されるストリームデータの種類を判別する（Ｓ２）。
【００１８】
上記の送信側機器から送信されるストリームデータの種類の判別方法としては、以下の３つの方法、又はこれら３つの方法のうち２つ以上の方法の組み合わせが考えられる。第１の方法は、バスリセット時に送信側機器から送信されたセルフＩＤパケットに格納されている物理層レベルの最高転送速度の情報（図５中の第１セルフＩＤパケット７０に含まれるｓｐ７１）に基づいて、この最高転送速度が１００Ｍｂｐｓであれば、ＤＶストリームデータであると判別し、４００Ｍｂｐｓであれば、ＭＰＥＧストリームデータと判別する方法である。第２の方法は、送信側機器のユニットが、どのようなサブユニットを含んでいるかを、ＡＶ／Ｃコマンドを用いて送信側機器に問い合わせて、その結果、例えば、送信側機器のユニットが、テープレコーダ／プレーヤサブユニットのみを含んでいる場合は、ＤＶストリームデータであると判別し、テープレコーダ／プレーヤサブユニットとチューナサブユニットとを含んでいる場合や、ディスクレコーダ／プレーヤサブユニットのみを含んでいる場合は、ＭＰＥＧストリームデータと判別する方法である。第３の方法は、送信側機器のコンフィグレーションＲＯＭ６２内のレジスタであるアウトプットシグナルレジスタの内容をＡＶ／Ｃコマンドを用いて送信側機器に問い合わせて、このアウトプットシグナルレジスタの内容に基づいて、送信側機器から送信されるストリームデータの種類が、ＤＶストリームデータであるか、ＭＰＥＧストリームデータであるかを判別する方法である。
【００１９】
上記Ｓ２の判別処理が終わると、ＤＴＶ１側のマイクロプロセッサ１０は、この判別処理の結果、送信側機器（ＤＶカメラ４）から送信されると判別されたストリームデータの種類と、自機が有するデコーダの種類とに基づいて、ＤＶカメラ４から送信されるストリームデータを、自機がデコード可能であるか否かを判定する（Ｓ３）。そして、この判定の結果、デコード不可能であると判定された場合には（Ｓ３でＮＯ）、バス９上の各接続機器（ＤＶＤレコーダ２やＳＴＢ３）に対して、これらの各接続機器のベンダＩＤや機種ＩＤを問い合わせるためのＡＶ／Ｃコマンドを送信して、これらの接続機器のコンフィグレーションＲＯＭに記憶されたベンダＩＤや機種ＩＤの情報を取得し、これらの情報に基づいて、上記の各接続機器の中から、ＤＶストリームデータとＭＰＥＧストリームデータとの間のデータ変換機能を持つ接続機器を検索する（Ｓ４）。上記のように、送信側機器がＤＶストリームデータのみの送信が可能なＤＶカメラ４であり、ＤＴＶ１がＭＰＥＧストリームデータ用のデコーダ３１しか有していない場合には、Ｓ４において検索される接続機器は、ＤＶストリームデータからＭＰＥＧストリームデータへの変換機能を持つ接続機器となる。
【００２０】
上記Ｓ４の検索処理の結果、バス９上の各接続機器の中に、ＤＶストリームデータからＭＰＥＧストリームデータへの変換機能を持つ接続機器（以下、変換接続機器という）が有った場合には（Ｓ５でＹＥＳ）、ＤＴＶ１側のマイクロプロセッサ１０は、上記の変換接続機器とＤＶカメラ４との間、及び上記の変換接続機器と自機との間をポイントツーポイント接続する（Ｓ６）。
【００２１】
具体的には、以下のようになる。上記図２に示されるように、ＤＶＤレコーダ２は、ＤＶカメラ４等から受信したＤＶストリームデータを復号するためのＤＶデコーダ３７と、ＤＶデコーダ３７による復号後のデータをＭＰＥＧストリームデータに符号化するＭＰＥＧエンコーダ３８とを有しており、ＤＶストリームデータをＭＰＥＧストリームデータに変換する機能を有している。すなわち、ＤＶＤレコーダ２は、上記の変換接続機器としての適格性を有している。従って、ＤＴＶ１側のマイクロプロセッサ１０は、ＤＶＤレコーダ２とＤＶカメラ４との間、及びＤＶＤレコーダ２と自機との間をポイントツーポイント接続する。
【００２２】
上記の接続処理が終了すると、ＤＴＶ１側のマイクロプロセッサ１０は、ＤＶカメラ４に再生コマンドを送信して再生を開始させると共に、ＤＶＤレコーダ２に対して、ＤＶカメラ４からＤＶＤレコーダ２に送信されるＤＶストリームデータをＭＰＥＧストリームデータに変換して、自機に送信するように指示するためのコマンドを送信する（Ｓ７）。そして、このコマンドを受信したＤＶＤレコーダ２から送信されるＭＰＥＧストリームデータをインタフェース１９を介して受信する（Ｓ８）。
【００２３】
また、ＤＴＶ１が、図２に示される構成と異なり、ＤＶカメラ４から送信されるＤＶストリームデータをデコード可能である場合には（Ｓ３でＹＥＳ）、ＤＴＶ１側のマイクロプロセッサ１０は、ＤＶカメラ４と自機（ＤＴＶ１）との間をポイントツーポイント接続した後（Ｓ９）、ＤＶカメラ４に再生コマンドを送信して再生を開始させ（Ｓ１０）、ＤＶカメラ４から送信されるＤＶストリームデータをインタフェース１９を介して受信する（Ｓ１１）。
【００２４】
上記Ｓ８又はＳ１１の受信処理が終了すると（Ｓ１２でＹＥＳ）、ＤＴＶ１側のマイクロプロセッサ１０は、Ｓ６又はＳ９で行ったポイントツーポイント接続を解除する（Ｓ１３）。
【００２５】
また、上記Ｓ５の判定処理において、ＤＶストリームデータからＭＰＥＧストリームデータへの変換機能を持つ接続機器がバス９上に存在しなかった場合には（Ｓ５でＮＯ）、ＤＴＶ１側のマイクロプロセッサ１０は、モニタ部１５の画面１６上に、「受信不可能です。ネットワーク上に分散処理可能な接続機器がありません。例えば、バスにＤＶストリームデータをＭＰＥＧストリームデータに変換する機能を持つＤＶＤレコーダを接続して下さい。」といったメッセージをＯＳＤ表示する。
【００２６】
上述したように、本実施形態によるＤＴＶ１によれば、ＤＶカメラ４から送信されるＤＶストリームデータを、自機がデコード不可能である場合には、バス９上の各接続機器のコンフィグレーションＲＯＭに記憶されたベンダＩＤや機種ＩＤに基づき、これらの各接続機器の中から、ＤＶストリームデータからＭＰＥＧストリームデータへのデータ変換機能を持つ変換接続機器であるＤＶＤレコーダ２が自動的に検索されて、このＤＶＤレコーダ２とＤＶカメラ４との間、及びＤＶＤレコーダ２と自機（ＤＴＶ１）との間がポイントツーポイント接続される。そして、ＤＶカメラ４から送信されたＤＶストリームデータが、ＤＶＤレコーダ２によって自機がデコード可能な種類のストリームデータ（ＭＰＥＧストリームデータ）に変換されて、自機に送信される。これにより、自機がＤＶカメラ４から送信されるストリームデータに適したデコーダを有していない場合でも、バス９上にデータ変換専用の装置を接続することなく、ＤＶカメラ４から送信されるストリームデータを正常に処理することができる。従って、自機がＤＶカメラ４から送信されるストリームデータに適したデコーダを持つ必要がなく、また、バス９上にデータ変換専用の装置を接続する必要もないので、大幅なコストダウンを図ることができる。
【００２７】
なお、本発明は、上記実施形態に限られるものではなく、様々な変形が可能である。例えば、上記の各実施形態では、送信側機器がＤＶストリームデータのみを出力することが可能なＤＶカメラ４であり、コントローラ機器がＭＰＥＧストリームデータのみをデコードすることが可能なＤＴＶ１である場合の例を示したが、送信側機器をＭＰＥＧストリームデータのみを出力することが可能な機器とし、コントローラ機器をＤＶストリームデータのみをデコードすることが可能な機器としてもよい。また、送信側機器をＡＭ８２４データのみを出力することが可能な機器とし、コントローラ機器をＭＰＥＧオーディオデータのみをデコードすることが可能な機器としてもよい。
【図面の簡単な説明】
【００２８】
【図１】本発明の一実施形態によるコントローラ機器であるＤＴＶと、このＤＴＶに接続されたＤＶＤレコーダ、ＳＴＢ及びＤＶカメラの外観を示す斜視図。
【図２】上記ＤＴＶとＤＶＤレコーダの電気的ブロック構成図。
【図３】上記ＤＶカメラの電気的ブロック構成図。
【図４】上記ＤＶカメラから送信されたストリームデータをＤＴＶで再生表示する際におけるＤＴＶ側の処理のフローチャート。
【図５】バスリセット時に上記ＤＶＤレコーダ等から送信されるセルフＩＤパケットの一部を示す図。
【符号の説明】
【００２９】
１    ＤＴＶ（コントローラ機器）
２    ＤＶＤレコーダ（変換接続機器）
４    ＤＶカメラ（送信側機器）
９    バス（ＩＥＥＥ１３９４シリアルバス）
１０  マイクロプロセッサ（受信制御手段、判別手段、判定手段、検索手段、接続手段、再生依頼手段、変換依頼手段）
１９  インタフェース（受信手段）
２３  リモコン（再生開始指示手段）
４１  コンフィグレーションＲＯＭ
【図１】
2006157339.tif 000003
【図２】
2006157339.tif 000004
【図３】
2006157339.tif 000005
【図４】
2006157339.tif 000006
【図５】
2006157339.tif 000007